(57)【要約】  【課題】  デバイスキーを必要とする処理に何らかの不具合が生じた場合に、デバイスキーを特定することができる光ディスク再生装置を提供する。  【解決手段】  デバイスキー用光ディスクから読み出されたデバイスキーに付加情報を加えて、フラッシュメモリ２０に書き込む。このフラッシュメモリ２０を実装した光ディスク再生装置に対して、システムコントローラ１４は、テストモードになり、当該付加情報を表示させるように設定されると、当該付加情報を表示手段に表示させる処理を行う。したがって、デバイスキーを必要とする処理に何らかの不具合が生じた場合に、当該付加情報を見れば、当該光ディスク再生装置のデバイスキーを特定することが可能になる。【選択図】      図１
2005063505.tif 000002
【特許請求の範囲】
【請求項１】
装置の各部を制御するためのファームウェアが記憶されたフラッシュメモリを備え、この
フラッシュメモリからのファームウェアに従って装置の各部を制御するシステムコントロ
ーラを備え、ＤＶＤオーディオ規格のオーディオ再生にはＣＰＰＭのデバイスキーを必要
とし、ＤＶＤビデオ規格のＶＲモードのＣＰＲＭによって保護された部分の再生にはＣＰ
ＲＭのデバイスキーを必要とし、光ディスクに記録された情報を再生する光ディスク再生
装置において、それぞれ異なる複数のデバイスキーが記録されたデバイスキー用光ディス
クを予め用意しておき、情報処理装置により、そのデバイスキー用光ディスクからデバイ
スキーを読み出し、この読み出されたデバイスキーに、該デバイスキーが読み出された日
付の情報、該デバイスキーが読み出されたデバイスキー用光ディスクの名称の情報、該デ
バイスキーが記録されていたファイルの名称の情報、該ファイルの何番目のデバイスキー
を使用したかを示す情報、およびその他デバイスキーに関する情報を有する付加情報を加
え、当該デバイスキーに付加情報が加えられた当該デバイスキー情報を当該フラッシュメ
モリに書き込み、当該フラッシュメモリを実装した光ディスク再生装置のシステムコント
ローラにおいて、テストモードに設定するテストモード設定手段と、テストモードに設定
された後、テストモードになると、当該デバイスキー情報の付加情報を表示させるように
設定する付加情報表示設定手段と、前記設定された当該デバイスキー情報の付加情報を表
示手段に表示させる処理を行う付加情報表示処理手段とを設けたことを特徴とする光ディ
スク再生装置。
【請求項２】
装置の各部を制御するためのファームウェアが記憶されたフラッシュメモリを備え、この
フラッシュメモリからのファームウェアに従って装置の各部を制御するシステムコントロ
ーラを備え、オーディオの再生には予め定めたオーディオ規格に対応したデバイスキーを
必要とし、所定箇所のビデオの再生には予め定めたビデオ規格に対応したデバイスキーを
必要とし、光ディスクに記録された情報を再生する光ディスク再生装置において、それぞ
れ異なる複数のデバイスキーが記録されたデバイスキー用光ディスクからデバイスキーを
読み出し、この読み出されたデバイスキーに付加情報を加えた当該デバイスキー情報を当
該フラッシュメモリに書き込み、当該フラッシュメモリを実装した光ディスク再生装置に
対して、前記システムコントローラは、テストモードになり、当該デバイスキー情報の付
加情報を表示させるように設定されると、当該デバイスキー情報の付加情報を表示手段に
表示させる処理を行うことを特徴とする光ディスク再生装置。
【請求項３】
前記付加情報は、当該デバイスキーが読み出された日付の情報、当該デバイスキーが読み
出されたデバイスキー用光ディスクの名称の情報、当該デバイスキーが記録されていたフ
ァイルの名称の情報、該ファイルの何番目のデバイスキーを使用したかを示す情報、およ
びその他デバイスキーに関する情報を有することを特徴とする請求項２に記載の光ディス
ク再生装置。
【請求項４】
前記システムコントローラは、テストモードに設定するテストモード設定手段と、テスト
モードに設定された後、テストモードになると、当該デバイスキー情報の付加情報を表示
させるように設定する付加情報表示設定手段と、前記設定された当該デバイスキー情報の
付加情報を表示手段に表示させる処理を行う付加情報表示処理手段とを備えたことを特徴
とする請求項２に記載の光ディスク再生装置。
【請求項５】
ＤＶＤオーディオ規格のオーディオの再生にはＣＰＰＭのデバイスキーを必要とし、ＤＶ
Ｄビデオ規格であるＶＲモードのＣＰＲＭによって保護された部分の再生にはＣＰＲＭの
デバイスキーを必要とする光ディスクに対して情報を再生することが可能であることを特
徴とする請求項２に記載の光ディスク再生装置。
【発明の詳細な説明】
【技術分野】
【０００１】
本発明は、フラッシュメモリからのファームウェアに従って装置の各部を制御するシス
テムコントローラを備え、ＤＶＤオーディオの再生にはＣＰＰＭのデバイスキーを必要と
し、ＶＲモードのＣＰＲＭによって保護された部分の再生にはＣＰＲＭのデバイスキーを
必要とし、光ディスクに記録された情報を再生する光ディスク再生装置に関する。
【背景技術】
【０００２】
近年、オーディオ情報やビデオ情報を記録する記録媒体としてＤＶＤ（デジタル・バー
サタイル・ディスク）などの光ディスクが普及している。このような光ディスクに記録さ
れた情報は、光で読み取って再生が行われるので、従来から使用されている記録媒体であ
る磁気テープなどの記録情報を再生するのに比べ、光ディスク間で情報をコピーしたり、
多数回再生したりしても、再生信号の品質劣化が殆ど生じない。そのため、光ディスクに
記録された情報の著作権の保護という観点で大きな問題が生じてきた。したがって、オー
ディオ情報やビデオ情報などのコンテンツを暗号化したり、暗号を復号化したりするキー
の管理は非常に重要なものとなる。
【０００３】
そこで、ＤＶＤオーディオ規格のオーディオ再生のためには、光ディスク再生装置側に
ＣＰＰＭ（Content Protection for Prerecordable Media）のデバイスキーを必要とし、
ＤＶＤビデオ規格のＶＲ（Video  Recording）モードのビデオ再生のためには、光ディス
ク再生装置側にＣＰＲＭ（Content Protection for Recordable Media）のデバイスキー
を必要としている。
【特許文献１】特開２００２−９７５４号公報
【発明の開示】
【発明が解決しようとする課題】
【０００４】
ところで、上記のようなデバイスキーは、工場において光ディスク再生装置の製造時に
、異なるデバイスキーが複数個記録された光ディスクを用い、メモリ書込み装置によって
ファームウェアなどと共にフラッシュメモリ（ＥＰＲＯＭ等）に書き込まれ、その後、フ
ラッシュメモリは光ディスク再生装置の回路基板に実装される。
【０００５】
ところが、このようにしてデバイスキーが書き込まれたフラッシュメモリを備えた光デ
ィスク再生装置を、工場などにおけるテスト工程においてテストモードに設定し、その光
ディスク再生装置に、例えば、或るＤＶＤオーディオ規格の光ディスクを挿入して、その
光ディスクの特定情報をデバイスキーにより再生しようとしても、再生できなかった場合
、そのデバイスキーに関する情報を知ることができないので、そのデバイスキーを特定で
きず、不具合の原因を調べるのに多くの時間を要すると言う課題が生じる。
【０００６】
なお、特許文献１に記載された従来技術では、複数の世代、バージョンの異なるキーを
記録媒体に格納可能とし、記録再生装置が記録媒体にアクセスした際に、より新しいキー
を記録媒体に格納し、また、記録媒体から最新のＫＲＢを記録再生装置自体のメモリに格
納し、さらに記録媒体から不要キーを削除する構成とし、記録媒体に格納されている全Ｋ
ＲＢよりも新しいＫＲＢを持つ記録再生装置は、コンテンツデータを記録しない場合でも
、新しいＫＲＢを記録媒体に記録できる構成としている。
【０００７】
したがって、この従来装置は、たとえ、記録媒体が製造されたのがとても古く、予め記
録媒体に格納されているＫＲＢが古いものであったとしても、データが記録される際には
新しいＫＲＢが使われる可能性が高くなり、暗号化データの安全性をより高くすることが
可能となるが、工場などにおけるテスト工程でのデバイスキーに関する処理のテストに関
するものではないので、上記課題を解決できるものではない。
【０００８】
本発明は、上記のような課題を解決するためになされたもので、デバイスキーを必要と
する処理に何らかの不具合が生じた場合に、デバイスキーを特定することができる機能を
有する光ディスク再生装置を提供することを目的とする。
【課題を解決するための手段】
【０００９】
上記目的を達成するために、請求項１の発明は、装置の各部を制御するためのファーム
ウェアが記憶されたフラッシュメモリを備え、このフラッシュメモリからのファームウェ
アに従って装置の各部を制御するシステムコントローラを備え、ＤＶＤオーディオ規格の
オーディオ再生にはＣＰＰＭのデバイスキーを必要とし、ＤＶＤビデオ規格のＶＲモード
のＣＰＲＭによって保護された部分の再生にはＣＰＲＭのデバイスキーを必要とし、光デ
ィスクに記録された情報を再生する光ディスク再生装置において、それぞれ異なる複数の
デバイスキーが記録されたデバイスキー用光ディスクを予め用意しておき、情報処理装置
により、そのデバイスキー用光ディスクからデバイスキーを読み出し、この読み出された
デバイスキーに、該デバイスキーが読み出された日付の情報、該デバイスキーが読み出さ
れたデバイスキー用光ディスクの名称の情報、該デバイスキーが記録されていたファイル
の名称の情報、該ファイルの何番目のデバイスキーを使用したかを示す情報、およびその
他デバイスキーに関する情報を有する付加情報を加え、デバイスキーに付加情報が加えら
れた当該デバイスキー情報を当該フラッシュメモリに書き込み、当該フラッシュメモリを
実装した光ディスク再生装置のシステムコントローラにおいて、テストモードに設定する
テストモード設定手段と、テストモードに設定された後、テストモードになると、当該デ
バイスキー情報の付加情報を表示させるように設定する付加情報表示設定手段と、前記設
定された当該デバイスキー情報の付加情報を表示手段に表示させる処理を行う付加情報表
示処理手段とを設けたことを特徴とする光ディスク再生装置を提供する。
【００１０】
この構成において、情報処理装置は、デバイスキー用光ディスクからデバイスキーを読
み出し、この読み出したデバイスキーに、該デバイスキーが読み出された日付の情報、該
デバイスキーが読み出されたデバイスキー用光ディスクの名称の情報、該デバイスキーが
記録されていたファイルの名称の情報、および該ファイルの何番目のデバイスキーを使用
したかを示す情報を有する付加情報を加え、デバイスキーに付加情報が加えられたデバイ
スキー情報を出力し、当該フラッシュメモリに書き込む。
【００１１】
システムコントローラは、当該フラッシュメモリを実装した光ディスク再生装置をテス
トモード設定手段によりテストモードに設定して、テストモードになると、当該デバイス
キー情報の付加情報を表示させるように付加情報表示設定手段により設定し、前記設定さ
れた当該デバイスキー情報の付加情報を表示手段に表示させる処理を付加情報表示処理手
段により行う。
【００１２】
この構成によれば、デバイスキーを必要とする処理に何らかの不具合が生じた場合に、
付加情報によりデバイスキーを特定することが可能になり、これにより、不具合の原因を
調べる時間を短縮でき、テスト効率が向上する。
【００１３】
請求項２の発明は、装置の各部を制御するためのファームウェアが記憶されたフラッシ
ュメモリを備え、このフラッシュメモリからのファームウェアに従って装置の各部を制御
するシステムコントローラを備え、オーディオの再生には予め定めたオーディオ規格に対
応したデバイスキーを必要とし、所定箇所のビデオの再生には予め定めたビデオ規格に対
応したデバイスキーを必要とし、光ディスクに記録された情報を再生する光ディスク再生
装置において、それぞれ異なる複数のデバイスキーが記録されたデバイスキー用光ディス
クからデバイスキーを読み出し、この読み出されたデバイスキーに付加情報を加え、デバ
イスキーに付加情報が加えられた当該デバイスキー情報を当該フラッシュメモリに書き込
み、当該フラッシュメモリを実装した光ディスク再生装置に対して、前記システムコント
ローラは、テストモードになり、当該デバイスキー情報の付加情報を表示させるように設
定されると、当該デバイスキー情報の付加情報を表示手段に表示させる処理を行うことを
特徴とする光ディスク再生装置を提供する。
【００１４】
この構成において、デバイスキー用光ディスクから読み出されたデバイスキーに付加情
報を加えて、当該フラッシュメモリに書き込まれ、当該フラッシュメモリを実装した光デ
ィスク再生装置に対して、システムコントローラは、テストモードになり、当該デバイス
キー情報の付加情報を表示させるように設定されると、当該デバイスキー情報の付加情報
を表示手段に表示させる処理を行う。
【００１５】
この構成によれば、デバイスキーを必要とする処理に何らかの不具合が生じた場合に、
付加情報によりデバイスキーを特定することが可能になり、これにより、不具合の原因を
調べる時間を短縮でき、テスト効率が向上する。
【００１６】
請求項３の発明では、前記付加情報は、当該デバイスキーが読み出された日付の情報、
当該デバイスキーが読み出されたデバイスキー用光ディスクの名称の情報、当該デバイス
キーが記録されていたファイルの名称の情報、該ファイルの何番目のデバイスキーを使用
したかを示す情報、およびその他デバイスキーに関する情報を有するので、前記付加情報
を調べることにより、デバイスキーの特定が容易になる。
【００１７】
請求項４の発明では、前記システムコントローラは、テストモードに設定するテストモ
ード設定手段と、テストモードに設定された後、テストモードになると、当該デバイスキ
ー情報の付加情報を表示させるように設定する付加情報表示設定手段と、前記設定された
当該デバイスキー情報の付加情報を表示手段に表示させる処理を行う付加情報表示処理手
段とを備えたので、付加情報によりデバイスキーを特定することが可能になる。
【００１８】
請求項５の発明では、ＤＶＤオーディオ規格のオーディオの再生にはＣＰＰＭのデバイ
スキーを必要とし、ＤＶＤビデオ規格であるＶＲモードのＣＰＲＭによって保護された部
分の再生にはＣＰＲＭのデバイスキーを必要とする光ディスクに対して情報を再生するこ
とが可能であるので、このようなＣＰＰＭやＣＰＲＭによって保護された光ディスクに情
報を再生することができる光ディスク再生装置を得ることができる。
【発明の効果】
【００１９】
以上のように本発明によれば、それぞれ異なる複数のデバイスキーが記録されたデバイ
スキー用光ディスクを予め用意しておき、情報処理装置により、そのデバイスキー用光デ
ィスクからデバイスキーを読み出し、この読み出されたデバイスキーに、該デバイスキー
が読み出された日付の情報、該デバイスキーが読み出されたデバイスキー用光ディスクの
名称の情報、該デバイスキーが記録されていたファイルの名称の情報、該ファイルの何番
目のデバイスキーを使用したかを示す情報、およびその他デバイスキーに関する情報を有
する付加情報を加え、デバイスキーに付加情報が加えられた当該デバイスキー情報を当該
フラッシュメモリに書き込み、当該フラッシュメモリを実装した光ディスク再生装置のシ
ステムコントローラにおいて、テストモードに設定するテストモード設定手段と、テスト
モードに設定された後、テストモードになると、当該デバイスキー情報の付加情報を表示
させるように設定する付加情報表示設定手段と、前記設定された当該デバイスキー情報の
付加情報を表示手段に表示させる処理を行う付加情報表示処理手段とを設けたので、デバ
イスキーを必要とする処理に何らかの不具合が生じた場合に、付加情報によりデバイスキ
ーを特定することが可能になり、これにより、不具合の原因を調べる時間を短縮でき、テ
スト効率が向上する。
【００２０】
また、本発明によれば、それぞれ異なる複数のデバイスキーが記録されたデバイスキー
用光ディスクからデバイスキーを読み出し、この読み出されたデバイスキーに付加情報を
加え、デバイスキーに付加情報が加えられた当該デバイスキー情報を当該フラッシュメモ
リに書き込み、当該フラッシュメモリを実装した光ディスク再生装置に対して、システム
コントローラは、テストモードになり、当該デバイスキー情報の付加情報を表示させるよ
うに設定されると、当該デバイスキー情報の付加情報を表示手段に表示させる処理を行う
ので、デバイスキーを必要とする処理に何らかの不具合が生じた場合に、付加情報により
デバイスキーを特定することが可能になり、これにより、不具合の原因を調べる時間を短
縮でき、テスト効率が向上する。
【発明を実施するための最良の形態】
【００２１】
以下、添付図面を参照しつつ、本発明の実施の形態について説明する。図１は本発明の
一実施形態に係る光ディスク再生装置の構成を示すブロック図である。図１において、こ
の光ディスク再生装置は、光ディスク１に記録された情報を再生するためにレーザ光を出
射すると共に光ディスク１からの反射光を受光する光ピックアップ３と、光ディスク１を
回転させるスピンドルモータ２と、このスピンドルモータ２を駆動するスピンドルドライ
ブ回路１９と、光ピックアップ３のトラッキングサーボを行うトラッキングアクチュエー
タを駆動するトラッキングドライブ回路１７と、光ピックアップ３のフォーカスサーボを
行うアクチュエータを駆動するフォーカスドライブ回路１６と、光ピックアップ３を光デ
ィスク１の半径方向に移動させるスレッド４と、このスレッド４を駆動するスレッドドラ
イブ回路１８とを備えている。
【００２２】
また、この光ディスク再生装置は、光ディスク１の再生時に光ディスク１からの再生信
号（読取信号）を入力して該再生信号よりＲＦ信号を作成して増幅するＲＦアンプ５と、
ＶＣＯ（voltage controlled oscillator）を含むＰＬＬ（phase locked loop）８を備え
ＲＦアンプ５からのＲＦ信号を入力してデータと同期信号を分離するデータ／同期信号分
離回路６と、このデータ／同期信号分離回路６で分離されたデータを入力してデコード化
することによりエラーチェックを行いデータに誤りがある場合はエラー訂正を行って正し
いデータを出力するデータデコードエラー訂正回路９と、このデータデコードエラー訂正
回路９から正しいデータを入力しデコード化してビデオ信号とオーディオ信号を出力する
ＡＶデコード回路１０とを備えている。
【００２３】
また、このディスク再生装置は、ＲＦアンプ５からのＲＦ信号に含まれ光ディスク１上
のトラックの無いミラー面を示すミラー信号を検出してミラー面をカウントするミラー検
出回路７と、光ピックアップ３からの再生信号に含まれるトラッキングエラー信号を検出
するトラッキングエラー検出回路１１と、光ピックアップ３からの再生信号に含まれるフ
ォーカスエラー信号を検出するフォーカスエラー検出回路１２と、トラッキングエラー検
出回路１１からのトラッキングエラー信号に基づいてトラッククロスを検出してトラック
パルスを出力するトラッククロス検出回路１３とを備えている。
【００２４】
また、この光ディスク再生装置は、装置の各部（上記各構成要素）を制御するためのフ
ァームウェアなどが記憶されたフラッシュメモリ２０と、このフラッシュメモリ２０のフ
ァームウェアに従って装置全体の処理を行うＣＰＵ１５と、このＣＰＵ１５の指示に従っ
て上記各構成要素を制御するシステムコントローラ１４を備えている。
【００２５】
システムコントローラ１４は、光ピックアップ３からの再生信号に含まれるフォーカス
エラー信号に基づいて光ピックアップ３のフォーカスサーボのための制御、光ピックアッ
プ３からの再生信号に含まれるトラッキングエラー信号に基づいて光ピックアップ３のト
ラッキングサーボのための制御、スレッドドライブ回路１８を介してスレッド４を駆動し
て光ピックアップ３を光ディスク１の半径方向に移動させる制御、スピンドルドライブ回
路１９を介してスピンドルモータ２を回転させる制御などを行う。
【００２６】
更に、このシステムコントローラ１４は、この光ディスク再生装置をテストモードに設
定するテストモード設定手段１４１と、テストモードに設定された後、テストモードにな
ると、当該デバイスキー情報の付加情報を表示させるように設定する付加情報表示設定手
段１４２と、前記設定された当該デバイスキー情報の付加情報を表示手段に表示させる処
理を行う付加情報表示処理手段１４３とを備えている。なお、表示手段は、ＡＶデコード
回路１０に接続されるＴＶモニタ（図示せず）や、再生装置本体に備えられている表示部
（図示せず）で実現できる。
【００２７】
図２は、本実施形態において、デバイスキー用光ディスクからデバイスキーを取り出し
てデバイスキーに付加情報を加え、デバイスキー情報を出力し、フラッシュメモリに書き
込む情報処理装置の処理を説明するためのブロック図である。
【００２８】
図２において、１０１は、それぞれ異なる複数のデバイスキーが記録されたデバイスキ
ー用光ディスクである。このようなデバイスキー用光ディスクはＣＤ−Ｒなどで実現され
、数千個あるいは数万個単位で購入され、そこから１つのデバイスキーを切り出してフラ
ッシュメモリに書き込んでいる。このデバイスキー用光ディスク１０１は、例えば、デバ
イスキーＫ１，Ｋ２，Ｋ３，・・・，ＫＮ，Ｋ（Ｎ＋１）を記録している。
【００２９】
情報処理装置１００は、デバイスキー用光ディスク１０１からデバイスキーを読み出し
、この読み出したデバイスキーに、該デバイスキーが読み出された日付の情報、該デバイ
スキーが読み出されたデバイスキー用光ディスクの名称の情報、該デバイスキーが記録さ
れていたファイルの名称の情報、該ファイルの何番目のデバイスキーを使用したかを示す
情報、およびその他デバイスキーに関する情報を有する付加情報を加え、当該デバイスキ
ーに付加情報が加えられた当該デバイスキー情報を当該フラッシュメモリに書き込む。な
お、この情報処理装置１００はＲＯＭライタの機能も備えているものとする。ＲＯＭライ
タの機能を備えていない情報処理装置の場合は、出力されたデバイスキー情報をＲＯＭラ
イタによってフラッシュメモリに書き込めば良い。
【００３０】
デバイスキー用光ディスク１０１から読み出された例えば、デバイスキーＫ１に付加情
報ａが加えられたデバイスキー情報は、光ディスク再生装置Ａのフラッシュメモリに書き
込まれる。また、デバイスキーＫ３に付加情報ｂが加えられたデバイスキー情報は、光デ
ィスク再生装置Ｂのフラッシュメモリに書き込まれる。このように、デバイスキーに付加
情報を加えることにより、当該光ディスク再生装置のフラッシュメモリに記憶されている
デバイスキーに関する情報を知ることができる。
【００３１】
即ち、デバイスキーに関する情報とは、該デバイスキーがデバイスキー用光ディスクか
ら読み出された日付、該デバイスキーが読み出されたデバイスキー用光ディスクの名称、
該デバイスキーが記録されていたファイルの名称、該ファイルの何番目のデバイスキーを
使用したかを示す情報、どの生産ラインで書かれたかの情報、デバイスキーに関する処理
に用いた情報処理装置の装置番号などの情報を言う。
【００３２】
図３はデバイスキー情報をフラッシュメモリに書き込む処理を示すフローチャートであ
る。このフローチャートを参照してフラッシュメモリ書き込み処理について説明する。
【００３３】
デバイスキー用光ディスク１０１がセットされた情報処理装置１００は、その光ディス
ク１０１から１つのデバイスキーを選択して取り出し（ステップＳ１）、そのデバイスキ
ーに付加情報を加え（ステップＳ２）、選択した光ディスク再生装置のフラッシュメモリ
の特定番地（プログラム領域とは別の領域のブロック）にデバイスキー情報を書き込む（
ステップＳ３）。なお、工場において光ディスク再生装置を製造する際に、光ディスク再
生装置内のフラッシュメモリにファームウェアを書き込み時に、ファームウェアと共にデ
バイスキー情報をフラッシュメモリに書き込んでも良い。
【００３４】
図４は光ディスク再生装置がテストモードに入ってからデバイスキー情報の付加情報を
表示するまでの処理を示すフローチャートである。このフローチャートを参照してデバイ
ス情報の表示処理について説明する。
【００３５】
以上説明したようにデバイスキー情報がフラッシュメモリに記憶され、このフラッシュ
メモリを実装した光ディスク再生装置に対して、デバイスキーに関するテストを行うため
、工場の検査員は、光ディスク再生装置の操作部（図示せず）を操作してテストモードに
入るためのキー操作を行う。これに応答して、システムコントローラ１４のテストモード
設定手段１４１は、装置をテストモードに設定する（ステップＳ１１）。
【００３６】
そして、テストモードに入ると（ステップＳ１２）、付加情報表示設定手段１４２は当
該デバイスキー情報の付加情報を表示させるように設定し（ステップＳ１３）、これによ
り、付加情報表示処理手段１４３は当該デバイスキー情報の付加情報を図示しないＴＶモ
ニタや装置の表示部などの表示手段に表示する（ステップＳ１４）。なお、ここでは、付
加情報だけを表示してデバイスキーを表示しなかったのは、デバイスキーはプロテクトの
ため、一度公開されると、そのデバイスキーは、光ディスク再生装置に予め備えられてい
るキー無効機能によって無効にされるからである。
【００３７】
表示手段に表示された付加情報の内容を見れば、該デバイスキーがデバイスキー用光デ
ィスクから読み出された日付、該デバイスキーが読み出されたデバイスキー用光ディスク
の名称、該デバイスキーが記録されていたファイルの名称、該ファイルの何番目のデバイ
スキーを使用したか、どの生産ラインで書かれたか、デバイスキーに関する処理に用いた
情報処理装置の装置番号などが分かる。
【００３８】
このように、テストモードにおいてはデバイスキー自体を見ることができないが、付加
情報は見ることができるので、デバイスキーが公開されて無効になっても、そのときのデ
バイスキーの付加情報を見れば、無効になったデバイスキーを特定することが可能になる
。したがって、デバイスキーを必要とする処理に何らかの不具合が生じた場合に、付加情
報によりデバイスキーを特定することが可能になり、これにより、不具合の原因を調べる
時間を短縮でき、テスト効率が向上する。
【００３９】
なお、本実施形態で説明したデバイスキーは、ＤＶＤオーディオ規格のオーディオ再生
の場合ではＣＰＰＭのデバイスキーのことを言い、ＤＶＤビデオ規格のビデオ再生の場合
ではＣＰＲＭのデバイスキーのことを言い、これら二つのデバイスキーが各光ディスク再
生装置のフラッシュメモリに記録されるが、各光ディスク再生装置毎にＣＰＰＭのデバイ
スキーおよびＣＰＲＭのデバイスキーが異なることを意味している。
【図面の簡単な説明】
【００４０】
【図１】本発明の一実施形態に係る光ディスク再生装置の構成を示すブロック図である。
【図２】前記実施形態において、デバイスキー用光ディスクからデバイスキーを取り出してデバイスキーに付加情報を加え、デバイスキー情報を出力し、フラッシュメモリに書き込む情報処理装置の処理を説明するためのブロック図である。
【図３】前記実施形態において、デバイスキー情報をフラッシュメモリに書き込む処理を示すフローチャートである。
【図４】前記実施形態の光ディスク再生装置がテストモードに入ってからデバイスキー情報の付加情報を表示するまでの処理を示すフローチャートである。
【符号の説明】
【００４１】
１    光ディスク
１４    システムコントローラ
２０    フラッシュメモリ
１００    情報処理装置
１０１    デバイスキー用光ディスク
１４１    テストモード設定手段
１４２    付加情報表示設定手段
１４３    付加情報表示処理手段
【図１】
2005063505.tif 000003
【図２】
2005063505.tif 000004
【図３】
2005063505.tif 000005
【図４】
2005063505.tif 000006